(57)【特許請求の範囲】
【請求項１】
常時起動されている第１制御部と、当該第１制御部の指示により起動される第２制御部とを備えている表示装置であって、
上記第１制御部は、
遠隔制御装置の電池残量が所定値を下回っており、かつ、電源操作が行われたことを示す電源操作情報を受信してから所定時間が経過した後に、当該遠隔制御装置の電池残量が低下していることを示す電池残量低下情報を受信し、
上記第２制御部は、
上記第１制御部から、上記遠隔制御装置の電池残量が低下していることが通知された場合に、上記遠隔制御装置の電池残量が低下していることを表示部に表示する
ことを特徴とする表示装置。
【請求項２】
上記第１制御部は、
上記電池残量低下情報を受信し、かつ、上記第２制御部が起動されている場合に、上記遠隔制御装置の電池残量が低下していることを上記第２制御部に通知し、
上記電池残量低下情報を受信し、かつ、上記第２制御部が起動されていない場合に、上記電池残量低下情報を受信した旨を記憶しておき、上記第２制御部が起動された場合に、上記遠隔制御装置の電池残量が低下していることを上記第２制御部に通知する
ことを特徴とする請求項１に記載の表示装置。
【請求項３】
上記第２制御部は、
上記遠隔制御装置の電池残量が低下していることが通知され、かつ、上記表示部の表示が可能な場合に、上記遠隔制御装置の電池残量が低下していることを上記表示部に表示し、
上記遠隔制御装置の電池残量が低下していることが通知され、かつ、上記表示部の表示が可能でない場合に、上記遠隔制御装置の電池残量が低下していることが通知された旨を記憶しておき、上記表示部の表示が可能になった場合に、上記遠隔制御装置の電池残量が低下していることを上記表示部に表示する
ことを特徴とする請求項１または２に記載の表示装置。
【請求項４】
上記第２制御部は、
さらに、上記表示部においてチャンネル番号を表示するときに、上記遠隔制御装置の電池残量が低下していることを表示する
ことを特徴とする請求項３に記載の表示装置。
【請求項５】
上記第２制御部は、
上記遠隔制御装置の電池残量が低下していることを所定時間だけ表示する
ことを特徴とする請求項１から４の何れか１項に記載の表示装置。
【請求項６】
遠隔制御装置と、表示装置とを備えている表示システムであって、
上記遠隔制御装置は、電池残量が所定値を下回っており、かつ、電源操作が行われたことを示す電源操作情報を上記表示装置に送信してから所定時間が経過した場合に、当該遠隔制御装置の電池残量が低下していることを示す電池残量低下情報を上記表示装置に送信し、
上記表示装置は、上記遠隔制御装置から上記電池残量低下情報を受信した場合に、上記遠隔制御装置の電池残量が低下していることを表示する
ことを特徴とする表示システム。
【請求項７】
上記遠隔制御装置は、電池残量が所定値を下回っており、かつ、上記電源操作情報を上記表示装置に送信してから所定時間が経過した場合に、電源操作が終了したときに、上記電池残量低下情報を上記表示装置に送信する
ことを特徴とする請求項６に記載の表示システム。
【請求項８】
上記遠隔制御装置は、さらに、電池残量が所定値を下回っており、かつ、選局および音量調整以外の複数の操作のうち少なくとも何れかの操作が行われた場合に、上記電池残量低下情報を上記表示装置に送信する
ことを特徴とする請求項６または７に記載の表示システム。
【請求項９】
請求項１から５の何れか１項に記載の表示装置を備えたテレビジョン受像機。
【請求項１０】
当該遠隔制御装置の電池残量が所定値を下回っており、かつ、電源操作が行われたことを示す電源操作情報を表示装置に送信してから所定時間が経過した場合に、当該遠隔制御装置の電池残量が低下していることを示す電池残量低下情報を上記表示装置に送信する
ことを特徴とする遠隔制御装置。
【請求項１１】
コンピュータを請求項１から５の何れか１項に記載の表示装置として動作させるためのプログラムであって、上記コンピュータを上記表示装置が備えている各部として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、遠隔制御装置の電池残量についての警告を表示する表示装置、および、表示システムに関する。
【背景技術】
【０００２】
昨今、テレビジョン受像機（以下、「テレビ」と呼ぶ）の操作には、リモコンが用いられている。リモコンは、表示画面を備えていないので、リモコンの電池残量が低下したときに、交換時期を表示できない。従って、ユーザは、電池の交換時期が分からない。この場合、リモコン自体は故障していないのに、ユーザから故障（リモコンが効かない、効きが悪いなど）と判断され、コールセンターへの相談件数が増加したり、サービスにてリモコンを交換したりする場合がある。
【０００３】
そこで、従来から、リモコンの電池残量に関する警告をテレビの画面に表示する技術が知られている。例えば、特許文献１には、電池残量にレベルに応じた回数や信号パターンでリモコン信号を発生させる技術が開示されている。特許文献２には、電池が減った状況でリモコンキーが押された場合、押されたキーに対応するコードに寿命信号を付加して送出し、これを受けてオンスクリーン表示する技術が開示されている。特許文献３には、電池消耗した状況で電源キーが押された場合、電源キーに対応するコードが送出され、充電を要求するコマンドが送出され、これを受けてＯＳＤ（On Screen Display）表示する技術が開示されている。特許文献４には、電池が減った状況でリモコンキーが押された場合、押されたキーに対応するコードに寿命信号を付加して送出し、これを受けてＯＳＤ表示する技術が開示されている。
【先行技術文献】
【特許文献】
【０００４】
【特許文献１】特許４４７９４３２号公報（２００６年３月３０日公開）
【特許文献２】特開平８−２８９３７４号公報（１９９６年１１月１日公開）
【特許文献３】特開平４−３５５５９５号公報（１９９２年１２月９日公開）
【特許文献４】実開平２−１４３８９０号公報（１９９０年１２月６日公開）
【発明の概要】
【発明が解決しようとする課題】
【０００５】
しかしながら、上述のような従来技術は、例えば、テレビが電源投入された直後に、リモコンから電池残量に関する信号をテレビに送信すると、テレビに電池残量に関する警告が表示されない可能性がある、という問題がある。
【０００６】
本発明は、上記課題に鑑みてなされたものであり、その目的は、表示装置の遠隔制御装置の電池残量に関する警告表示を確実に行う技術を提供することにある。
【課題を解決するための手段】
【０００７】
上記課題を解決するために、本発明の一態様に係る表示装置は、常時起動されている第１制御部と、当該第１制御部の指示により起動される第２制御部とを備えている表示装置であって、上記第１制御部が、遠隔制御装置の電池残量が低下していることを示す電池残量低下情報を受信し、かつ、上記第２制御部が起動されている場合に、上記遠隔制御装置の電池残量が低下していることを上記第２制御部に通知し、上記電池残量低下情報を受信し、かつ、上記第２制御部が起動されていない場合に、上記電池残量低下情報を受信した旨を記憶しておき、上記第２制御部が起動された場合に、上記遠隔制御装置の電池残量が低下していることを上記第２制御部に通知し、上記第２制御部が、上記第１制御部から、上記遠隔制御装置の電池残量が低下していることが通知された場合に、上記遠隔制御装置の電池残量が低下していることを表示部に表示することを特徴とする。
【０００８】
また、本発明の一態様に係る表示システムは、遠隔制御装置と、表示装置とを備えている表示システムであって、上記遠隔制御装置が、電池残量が所定値を下回っており、かつ、電源操作が行われたことを示す電源操作情報を上記表示装置に送信してから所定時間が経過した場合に、当該遠隔制御装置の電池残量が低下していることを示す電池残量低下情報を上記表示装置に送信し、上記表示装置が、上記遠隔制御装置から上記電池残量低下情報を受信した場合に、上記遠隔制御装置の電池残量が低下していることを表示することを特徴とする。
【発明の効果】
【０００９】
本発明の一態様によれば、表示装置の遠隔制御装置の電池残量に関する警告表示を確実に行うことができるという効果を奏する。
【図面の簡単な説明】
【００１０】
【図１】本発明の実施形態１に係る表示システムの機能ブロックの構成を示すブロック図である。
【図２】本発明の実施形態１に係るテレビの処理を示すフローチャートである。
【図３】本発明の実施形態３に係るリモコンのキー種別に応じた、電池残量低下に関する警告表示の有無を示す表である。
【図４】本発明の実施形態４に係るテレビにおける警告表示方法の例を示す画面図である。
【図５】本発明の実施形態１に係る表示システムの外観を示す図である。
【発明を実施するための形態】
【００１１】
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１２】
〔実施形態１〕
〈機能ブロックの構成〉
まず、本発明の実施形態１に係る表示システム１００について、図１を参照して説明する。図１は、本実施形態に係る表示システム１００の機能ブロックの構成を示すブロック図である。図１に示すように、表示システム１００は、リモコン（遠隔制御装置）１と、テレビジョン受像機（表示装置）２とを備える。なお、「テレビジョン受像機２」は、以下、「テレビ２」と呼ぶ。また、図５は、本発明の実施形態１に係る表示システム１００の外観を示す図である。
【００１３】
リモコン１は、テレビ２を遠隔操作するための装置である。リモコン１は、リモコン１の電池残量を検出する仕組みを備えており、ユーザ操作により電源キーが押されて離され、かつ、リモコン１の電池残量が低下している場合に、電源キーを示すコード（電源操作情報）の後に電池残量低下を示す新設のコードを付加し、当該２個のコードをテレビ２に送信する。
【００１４】
図１に示すように、リモコン１は、電源キー１１、キー操作検出部１２、電池１３、電池残量検出部１４、コード生成部１５、および、発光部１６を備えている。電源キー１１は、ユーザが押下することによりテレビ２の電源をオンまたはオフするためのキーである。キー操作検出部１２は、ユーザ操作による電源キー１１の押下の開始および終了を検出し、電源キー１１の押下の開始または終了をコード生成部１５に通知する。電池１３は、リモコン１の電源である。電池残量検出部１４は、電池１３の残量（例えば、電圧など）を検出、または、取得し、電池１３の残量が所定の閾値（例えば、全容量の１９％など）を下回った場合に、電池１３の残量低下をコード生成部１５に通知する。
【００１５】
コード生成部１５は、キー操作検出部１２、および、電池残量検出部１４からの通知に応じてコードを生成して、発光部１６に出力する。コード生成部１５は、キー操作検出部１２から電源キー１１の押下の終了を検出したことが通知され、かつ、電池残量検出部１４から電池１３の残量低下が通知された場合に、電源キーを示すコードの後に、電池残量低下を示すコードを付加し、当該２個のコードを発光部１６に出力する。発光部１６は、コード生成部１５で生成されたコードを取得し、テレビ２に送信する。
【００１６】
テレビ２は、リモコン１から電池残量低下を示すコードを受信した場合に、リモコン１の電池残量低下の警告を表示する。テレビ２は、ＯＳＤ画面表示が可能になった後、チャンネルコールを表示するタイミングで、電池残量低下を表示する。なお、テレビ２に映像が表示されるまで、ユーザがリモコン１の電源キー１１を押し続ける場合がある。この場合に、テレビ２は、上記チャンネルコールの表示より後であって、ユーザがリモコン１の電源キー１１を離したタイミング（すなわち、電池残量低下のコードが送信されたタイミング）で電池残量低下の警告を表示する。
【００１７】
図１に示すように、テレビ２は、受光部２１、サブマイコン（第１制御部）２２、メインマイコン（第２制御部）２３、および、表示部２４を備えている。受光部２１は、リモコン１からコードを受信し、当該コードをサブマイコン２２のコード解析部２２１に出力する。
【００１８】
サブマイコン２２は、常時起動されており、リモコン１から受信したコードを受光部２１から取得し、当該コードに応じた通知をメインマイコン２３に行う。図１に示すように、サブマイコン２２は、コード解析部２２１、および、受信フラグ保持部２２２を備えている。コード解析部２２１は、受光部２１から取得したコードを解析し、必要に応じて受信フラグ保持部２２２に対して受信フラグの読み書きをしながら、当該コードに応じた通知をメインマイコン２３に行う。受信フラグ保持部２２２は、コード解析部２２１からの通知に従って、電池残量低下のコートの受信フラグを保持する。
【００１９】
ここで、リモコン１の電源キー１１はユーザ操作により単発で押されることが多いので、メインマイコン２３が起動する前に、サブマイコン２２は、リモコン１から送信された電池残量低下のコードを取得する場合がある。この場合に、サブマイコン２２において、コード解析部２２１は、受信フラグ保持部２２２により、電池残量低下のコードの受信フラグをオンにして記憶しておき、メインマイコン２３が起動した後に、リモコン１の電池残量低下をメインマイコン２３に通知する。
【００２０】
メインマイコン２３は、サブマイコン２２の指示により起動され、サブマイコン２２からの通知に応じて、表示部２４にＯＳＤ画面表示を指示する。図１に示すように、メインマイコン２３は、コード処理部２３１、ＯＳＤ生成部２３２、および、受信フラグ保持部２３３を備えている。コード処理部２３１は、サブマイコン２２からの通知を処理し、必要に応じて受信フラグ保持部２３３に対して受信フラグの読み書きをしながら、当該通知に応じたＯＳＤ画面の生成をＯＳＤ生成部２３２に指示する。ＯＳＤ生成部２３２は、コード処理部２３１からの指示に従ってＯＳＤ画面を生成し、当該ＯＳＤ画面の表示を表示部２４に指示する。受信フラグ保持部２３３は、コード処理部２３１からの通知に従って、電池残量低下のコードの受信フラグを保持する。
【００２１】
ここで、メインマイコン２３は、ＯＳＤ画面表示が可能になってから、チャンネルコールを表示するタイミングで、リモコン１の電池残量低下の警告を表示部２４に表示する。この場合に、メインマイコン２３は、チャンネルコールを表示する前に電池残量低下のコードを受け取っているので、チャンネルコールの表示タイミングまで、受信フラグ保持部２３３により、電池残量低下のコードの受信フラグをオンにして記憶しておく。
【００２２】
表示部２４は、メインマイコン２３の指示に応じてＯＳＤ画面表示を行う。
【００２３】
〈システムの処理〉
次に、本実施形態に係る表示システム１００の処理について、図２を参照して説明する。図２は、本実施形態に係るテレビ２の処理を示すフローチャートである。
【００２４】
テレビ２において、受光部２１は、リモコン１から電池残量低下のコードを受信し、当該電池残量低下のコードを受光部２１に出力する。
【００２５】
図２に示すように、サブマイコン２２において、まず、コード解析部２２１は、受光部２１から電池残量低下のコードを取得する（Ｓ１０１）。次に、コード解析部２２１は、メインマイコン２３が起動される前か否かを判定する（Ｓ１０２）。メインマイコン２３が起動される前ではない、すなわち、メインマイコン２３が起動されている場合（Ｓ１０２のＮＯ）、コード解析部２２１は、電池残量低下のコードをメインマイコン２３に通知する（Ｓ１０７）。
【００２６】
メインマイコン２３が起動される前である（起動されていない）場合（Ｓ１０２のＹＥＳ）、コード解析部２２１は、電池残量低下のコードの受信済フラグをオンにして受信フラグ保持部２２２に格納する（Ｓ１０３）。すなわち、コード解析部２２１は、リモコン１の電池残量低下情報を受信した旨を記憶しておく。続いて、コード解析部２２１は、メインマイコン２３が起動したか否かを継続して判定する（Ｓ１０４）。すなわち、コード解析部２２１は、メインマイコン２３が起動していない場合には（Ｓ１０４のＮＯ）、Ｓ１０４の判定を繰り返す。
【００２７】
メインマイコン２３が起動した場合に（Ｓ１０４のＹＥＳ）、コード解析部２２１は、受信フラグ保持部２２２から受信済フラグを取得し（Ｓ１０５）、受信済フラグがオンか否かを判定する（Ｓ１０６）。電池残量低下コードの取得処理（Ｓ１０１〜Ｓ１０３）のタスクと、メインマイコン２３の起動確認処理（Ｓ１０４〜Ｓ１０６）のタスクとが異なる場合があり得るので、Ｓ１０６の判定処理が必要になる。
【００２８】
受信済フラグがオンである場合に（Ｓ１０６のＹＥＳ）、コード解析部２２１は、リモコン１の電池残量低下のコードをメインマイコン２３に通知する（Ｓ１０７）。受信済フラグがオンでない場合に（Ｓ１０６のＮＯ）、コード解析部２２１は、Ｓ１０７の処理をスキップする。
【００２９】
図２に示すように、メインマイコン２３において、まず、コード処理部２３１は、サブマイコン２２から電池残量低下コードを受信する（Ｓ１０７）。次に、コード処理部２３１は、ＯＳＤ画面が表示中（ＯＳＤ画面表示可能）か否かを判定する（Ｓ２０１）。ＯＳＤ画面が表示中（ＯＳＤ画面表示可能）である場合に（Ｓ２０１のＹＥＳ）、コード処理部２３１は、ＯＳＤ生成部２３２を介して、表示部２４に対して電池残量低下の警告のスポット表示を行う（Ｓ２０６）。例えば、「リモコンの電池交換時期が近づいています。」と表示する。警告の表示時間は、例えば、５秒間とするが、他の時間であってもよい。表示部２４において、上記警告のスポットと、従来から存在する他のスポットとが重なった場合には、後で表示した方を優先する。表示方法の詳細は、後で説明する。
【００３０】
ＯＳＤ画面が表示中（ＯＳＤ画面表示可能）でない場合に（Ｓ２０１のＮＯ）、コード処理部２３１は、電池残量低下のコードの受信済フラグをオンにして受信フラグ保持部２３３に格納する（Ｓ２０２）。すなわち、リモコン１の電池残量が低下していることが通知された旨を記憶しておく。続いて、コード処理部２３１は、ＯＳＤ画面表示が可能か否かを継続して判定する（Ｓ２０３）。すなわち、コード処理部２３１は、ＯＳＤ画面を表示可能でない場合には（Ｓ２０３のＮＯ）、Ｓ２０３の判定を繰り返す。
【００３１】
ＯＳＤ画面を表示可能だった場合に（Ｓ２０３のＹＥＳ）、コード処理部２３１は、受信フラグ保持部２３３から受信済フラグを取得し（Ｓ２０４）、受信済フラグがオンか否かを判定する（Ｓ２０５）。電池残量低下コードの受信処理（Ｓ１０７〜Ｓ２０２）のタスクと、画面表示可能確認処理（Ｓ２０３〜Ｓ２０５）のタスクとが異なる場合があり得るので、Ｓ２０５の判定処理が必要になる。
【００３２】
受信済フラグがオンである場合に（Ｓ２０５のＹＥＳ）、コード処理部２３１は、ＯＳＤ生成部２３２を介して、表示部２４に対して電池残量低下の警告のスポット表示を行う（Ｓ２０６）。受信済フラグがオンでない場合に（Ｓ２０５のＮＯ）、コード処理部２３１は、Ｓ２０６の処理をスキップする。
【００３３】
上記によれば、テレビ２のリモコン１の電池残量に関する警告表示を確実に行うことができる。従って、ユーザは、リモコン１の電池残量が低下したことを認識することができ、電池１３の交換時期を知ることができる。また、電池１３の液漏れ現象を事前に防止することができる。
【００３４】
〔実施形態２〕
次に、本発明の実施形態２に係るリモコン１におけるコードの付加方法について説明する。実施形態１では、リモコン１の電源キー１１が押されて離されたときに、電源キーのコードの後に電池残量低下コードを続けるものとして説明したが、他の方法であってもよい。
【００３５】
第１に、リモコン１の電源キー１１が押されたときに、リモコン１は電源キーのコードをテレビ２に送信し、その後リモコン１の電源キー１１が離されたときに、リモコン１は電池残量低下コードをテレビ２に送信するようにしてもよい。この場合、リモコン１の電源キー１１を映像が出るまで押し続けた（長押しをした）場合は、上記チャンネルコールの表示タイミングより後であっても、ユーザが電源キー１１から指を離したタイミング（電池残量低下のコードが発行されたタイミング）で、テレビ２が電池残量低下の警告を表示する。
【００３６】
第２に、リモコン１の電源キー１１が押されたときに、リモコン１は、まず電池残量低下のコードを送信し、続けて、電源キーのコードを送信するようにしてもよい。これは、実施形態１と比較すると、電池残量低下のコード、および、電源キーのコードの送信順序が異なる。
【００３７】
第３に、リモコン１の電源キー１１が押されて離されたときに、リモコン１は、電源キーのコードをテレビ２に送信してから所定時間が経過した場合に、電池残量低下のコードをテレビ２に送信するようにしてもよい。上記の所定時間は、テレビ２が電源キーのコードを受信してからＯＳＤ画面表示が可能になるまでの時間、または、その時間にマージンを加えた時間である。これに対して、テレビ２は、リモコン１から電池残量低下のコードを受信した場合に、上記の所定時間が経過しているため、メインマイコン２３が起動し、かつ、ＯＳＤ画面表示が可能になっているので、リモコン１の電池残量が低下していることをすぐに表示する。この場合、図２のフローチャートにおいて、テレビ２は、Ｓ１０２のＮＯの手順、および、Ｓ２０１のＹＥＳの手順を行うので、受信済フラグの管理を行う必要がなくなる。
【００３８】
さらに、リモコン１は、電源キーのコードをテレビ２に送信してから所定時間が経過した場合に、電源キーの押下（電源操作）が終了したときに、電池残量低下のコードをテレビ２に送信するようにしてもよい。これによれば、ユーザが電源キーを長押しした場合、電源キーから指を離したタイミングでテレビ２がリモコン１の電池残量低下を表示するので、ユーザは容易に電池残量低下を認識することができる。
【００３９】
〔実施形態３〕
続いて、本発明の実施形態３に係るリモコン１のキー種別に応じた警告表示の有無について、図３を参照して説明する。図３は、本実施形態に係るリモコン１のキー種別に応じた、電池残量低下に関する警告表示の有無を示す表である。
【００４０】
図３に示すように、キー種別によって警告表示を行うか行わないかが分類される。例えば、メニューキー、入力切換キーなどユーザが押す頻度が低いキーに関しては警告表示を行う。一方、選局キー、音量キーなどユーザが押す頻度が高いキーに関しては警告表示を行わない。以下、４つの例を挙げて説明する。
【００４１】
まず、図３の例１に示すように、電源キーのみを対象にして、警告表示を行ってもよい。これによれば、リモコン１の電源キーの操作によりテレビ２が一旦起動すれば、他のキーを操作しても警告表示が行われないので、ユーザが煩わしく感じることはない。これは、実施形態１と同様の例である。
【００４２】
次に、図３の例２に示すように、普段あまり使用しないキーのみを対象にして、警告表示を行ってもよい。連続して押すことはなく、かつ、頻繁に押すことはないが通常操作では比較的押されることが多いと思われるキー（メニューキー、入力切換キー、番組表キーなど）を対象としている。これによれば、ユーザは警告表示を見逃すことが少ない。
【００４３】
そして、図３の例３に示すように、普段使用することが多いキーのみを、警告表示から除外してもよい。連続して押すことがあるキー（カーソルや音量など）は除外としている。これによれば、ユーザは、警告表示を見逃すことが少ない。
【００４４】
さらに、図３の例４に示すように、選局キーおよび音量キーを、警告表示から除外してもよい。換言すれば、リモコン１は、電池残量が所定値を下回っており、かつ、選局および音量調整以外の複数の操作のうち少なくとも何れかの操作が行われた場合に、電池残量低下のコードをテレビ２に送信してもよい。
【００４５】
〔実施形態４〕
続いて、本発明の実施形態４に係るテレビ２における警告表示方法について、図４を参照して説明する。図４は、本実施形態に係るテレビ２における警告表示方法の例を示す画面図である。
【００４６】
図４に示すように、テレビ２は、リモコン１から電池残量低下を示すコードを受信した場合に、ユーザに向けてリモコン１の電池残量低下の警告を表示する。
【００４７】
図４（ａ）〜（ｃ）は、メインマイコン２３が、表示部２４においてチャンネル番号を表示するときに、リモコン１の電池残量が低下していることを表示する例を示す。
【００４８】
図４（ａ）では、テレビ２が、チャンネルコールと同時に、または、リモコン１のキーが離されたタイミングで、表示部２４の画面左下に所定時間だけ警告文をスポット表示を行っている。
【００４９】
図４（ｂ）では、テレビ２が、チャンネルコールと同時に、または、リモコン１のキーが離されたタイミングで、表示部２４の画面中央に所定時間だけ警告文をスポット表示している。
【００５０】
図４（ｃ）では、テレビ２が、チャンネルコール内に警告文を表示している。
【００５１】
図４（ｄ）では、テレビ２が、リモコン１の電池残量低下の警告を示すアイコンを表示している。
【００５２】
その他にも、テレビ２がリモコン１の電池残量低下の警告を通知する方法がある。例えば、音声、警告音で通知する方法、画面全体を点滅させて通知する方法、ＬＥＤを点滅させて通知する方法、ＬＥＤの色を変えて通知する方法などがある。
【００５３】
〔ソフトウェアによる実現例〕
図１に示す表示システム１００の各機能ブロックは、集積回路（ＩＣチップ）等に形成された論理回路（ハードウェア）によって実現してもよいし、ＣＰＵ（Central Processing Unit）を用いてソフトウェアによって実現してもよい。
【００５４】
後者の場合、表示システム１００は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）等を備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５５】
〔まとめ〕
本発明の態様１に係る表示装置（テレビジョン受像機２）は、常時起動されている第１制御部（サブマイコン２２）と、当該第１制御部の指示により起動される第２制御部（メインマイコン２３）とを備えている表示装置であって、上記第１制御部が、遠隔制御装置（リモコン１）の電池残量が低下していることを示す電池残量低下情報を受信し、かつ、上記第２制御部が起動されている場合に、上記遠隔制御装置の電池残量が低下していることを上記第２制御部に通知し、上記電池残量低下情報を受信し、かつ、上記第２制御部が起動されていない場合に、上記電池残量低下情報を受信した旨を記憶しておき、上記第２制御部が起動された場合に、上記遠隔制御装置の電池残量が低下していることを上記第２制御部に通知し、上記第２制御部が、上記第１制御部から、上記遠隔制御装置の電池残量が低下していることが通知された場合に、上記遠隔制御装置の電池残量が低下していることを表示部（２４）に表示する。
【００５６】
上記の構成によれば、表示装置において、第１制御部は、遠隔制御装置の電池残量低下情報を受信したときに、第２制御部が起動されていなくても、第２制御部が起動されるのを待って、遠隔制御装置の電池残量が低下していることを第２制御部に通知する。従って、表示装置は、遠隔制御装置の電池残量が低下していることを確実に表示することができる。
【００５７】
本発明の態様２に係る表示装置は、上記態様１において、上記第２制御部が、上記遠隔制御装置の電池残量が低下していることが通知され、かつ、上記表示部の表示が可能な場合に、上記遠隔制御装置の電池残量が低下していることを上記表示部に表示し、上記遠隔制御装置の電池残量が低下していることが通知され、かつ、上記表示部の表示が可能でない場合に、上記遠隔制御装置の電池残量が低下していることが通知された旨を記憶しておき、上記表示部の表示が可能になった場合に、上記遠隔制御装置の電池残量が低下していることを上記表示部に表示することとしてもよい。
【００５８】
上記の構成によれば、表示装置において、第２制御部は、遠隔制御装置の電池残量が低下していることが通知されたときに、表示部の表示が可能でなくても、表示部の表示が可能になるのを待って、遠隔制御装置の電池残量が低下していることを表示部に表示する。従って、表示装置は、遠隔制御装置の電池残量が低下していることを確実に表示することができる。
【００５９】
本発明の態様３に係る表示装置は、上記態様２において、上記第２制御部が、さらに、上記表示部においてチャンネル番号を表示するときに、上記遠隔制御装置の電池残量が低下していることを表示することとしてもよい。
【００６０】
表示装置において、チャンネル番号の表示は、表示部の表示が可能になったときに行われる。上記の構成によれば、第２制御部は、表示部においてチャンネル番号を表示するときに、遠隔制御装置の電池残量が低下していることを表示するので、遠隔制御装置の電池残量が低下していることを確実に表示することができる。
【００６１】
本発明の態様４に係る表示装置は、上記態様１から３において、上記第２制御部が、上記遠隔制御装置の電池残量が低下していることを所定時間だけ表示することとしてもよい。
【００６２】
上記の構成によれば、表示装置において、遠隔制御装置の電池残量が低下していることが所定時間だけ表示される。従って、ユーザは、遠隔制御装置の電池残量低下を知ることができるともに、継続して表示されることがないので、煩わしさを感じなくて済む。
【００６３】
本発明の態様５に係る表示システム（１００）は、遠隔制御装置と、表示装置とを備えている表示システムであって、上記遠隔制御装置が、電池残量が所定値を下回っており、かつ、電源操作が行われたことを示す電源操作情報を上記表示装置に送信してから所定時間が経過した場合に、当該遠隔制御装置の電池残量が低下していることを示す電池残量低下情報を上記表示装置に送信し、上記表示装置が、上記遠隔制御装置から上記電池残量低下情報を受信した場合に、上記遠隔制御装置の電池残量が低下していることを表示する。
【００６４】
上記の構成によれば、遠隔制御装置は、電源操作情報を表示装置に送信してから所定時間が経過した場合に、電池残量低下情報を表示装置に送信する。従って、表示装置は、遠隔制御装置から電池残量低下情報を受信したときには、既に画面表示が可能になっているので、フラグ管理を行うことなく、遠隔制御装置の電池残量が低下していることを確実に表示することができる。
【００６５】
本発明の態様６に係る表示システムは、上記態様５において、上記遠隔制御装置が、電池残量が所定値を下回っており、かつ、上記電源操作情報を上記表示装置に送信してから所定時間が経過した場合に、電源操作が終了したときに、上記電池残量低下情報を上記表示装置に送信することとしてもよい。
【００６６】
ユーザは、表示装置の主電源が投入され、画像が表示されるまで、電源操作を続けること（電源キーの長押し）がある。その場合、上記の構成によれば、遠隔制御装置は、電源操作情報を表示装置に送信してから所定時間が経過した場合に、電源操作が終了したときに、電池残量低下情報を表示装置に送信する。表示装置は、遠隔制御装置から電池残量低下情報を受信したときには、既に画面表示が可能になっているので、遠隔制御装置の電池残量が低下していることをすぐに表示することができる。従って、ユーザが遠隔制御装置の電源操作を終了したタイミングで、表示装置が電池残量低下を表示するので、ユーザは電池残量低下を容易に認識することができる。
【００６７】
本発明の態様７に係る表示システムは、上記態様５および６において、上記遠隔制御装置が、さらに、電池残量が所定値を下回っており、かつ、選局および音量調整以外の複数の操作のうち少なくとも何れかの操作が行われた場合に、上記電池残量低下情報を上記表示装置に送信することとしてもよい。
【００６８】
上記の構成によれば、遠隔制御装置は、電池残量が所定値を下回っており、かつ、電源操作に加えて、選局および音量調整以外の複数の操作のうち少なくとも何れかの操作が行われた場合に、電池残量低下情報を表示装置に送信する。従って、遠隔制御装置の操作のうち、頻度が多い操作が行われたとしても、警告表示を行わないので、煩わしさを回避することができる。
【００６９】
本発明の態様８に係るテレビジョン受像機は、上記態様１から４に係る表示装置を備えている。
【００７０】
本発明の各態様に係る表示装置は、コンピュータによって実現してもよく、この場合には、コンピュータを上記表示装置が備える各部として動作させることにより上記表示装置をコンピュータにて実現させる表示装置のプログラム、及びそれを記録したコンピュータ読み取り可能な記録媒体も、本発明の範疇に入る。
【００７１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１００  表示システム
１  リモコン（遠隔制御装置）
２  テレビジョン受像機、テレビ（表示装置）
２２  サブマイコン（第１制御部）
２３  メインマイコン（第２制御部）
２４  表示部
【図１】
0006537946.tif 000002
【図２】
0006537946.tif 000003
【図３】
0006537946.tif 000004
【図４】
0006537946.tif 000005
【図５】
0006537946.tif 000006